(57)【要約】【課題】ラップフィルムのつまみ部をしっかりと挟持し、梃子の原理を応用して力を加えることにより、力の弱い人或いは美容のために爪を伸ばしている人でもスムーズにラップフィルムを引き剥がすことができるようにする。【解決手段】ステンレス鋼等の適度の硬さと弾性を有する材料からなる所要の長さの帯状板２を、一方側３が長くなるように且つ対向間隙が先端側に行くに従って大きくなるようにＶ字形状に折り返す。長い方の部分３を、その長さ方向の中央部から先端側に寄った適宜の位置において前方内向きに所要の角度に折曲３ａすると共に、更に先端部３ｂを前方内向きに所要の角度に折曲する。一方、短い方の部分４における先端部４ａを、前記長い方の部分３の折曲した先端部３ｂと共働して挟持部を形成するよう前方内向きに所要の角度に折曲する。【選択図】図１
0003117627.tif 000002
【実用新案登録請求の範囲】
【請求項１】
ステンレス鋼等の適度の硬さと弾性を有する材料からなる所要の長さの帯状板を、一方側が長くなるように且つ対向間隙が先端側に行くに従って大きくなるようにＶ字形状に折り返し、長い方の部分を、その長さ方向の中央部から先端側に寄った適宜の位置において前方内向きに所要の角度に折曲すると共に、更に先端部を前方内向きに所要の角度に折曲し、一方、短い方の部分における先端部を、前記長い方の部分の折曲した先端部と共働して挟持部を形成するよう前方内向きに所要の角度に折曲してなるパック食品のラップフィルム剥離具。
【請求項２】
長い方の部分と短い方の部分のいずれかの内面に、側方に飛び出し可能にナイフを取り付けてなる請求項１記載のパック食品のラップフィルム剥離具。
【考案の詳細な説明】
【技術分野】
【０００１】  本考案はパック食品のラップフィルム剥離具に関するものである。
【背景技術】
【０００２】  容器内にゼリー、プリン、ヨーグルト等の食品や、豆腐、乾燥麺等を収容し、開口部をラップフィルムで密封するパック食品については、その開封時に大きな問題がある。【０００３】  それは、容器の開口部を密封するラップフィルムが剥がしにくい点である。ラップフィルムはヒートシールによって接着され、特に容器内に食品と共に液体が混ざっている食品の場合には接着が相当に強力である。また、ラップフィルムのつまみ部は小さくて、指先だけで摘まなければならないから、力も入りにくい。このようなことから、ラップフィルムのつまみ部を摘んで引っ張っても、老人や力の弱い女性、子供の場合、或いは美容のために爪を伸ばしている人にあっては、容易にラップフィルムを引き剥がすことができない。成人の男性の場合にも相当な力が必要であり、そして力一杯引っ張って剥がした瞬間に反動で容器が大きく傾き、容器内の液体がこぼれ出て、衣服や周囲を汚すこともしばしば経験するところである。【０００４】  このようなことから、従来にあっても図１０に示すごときラップフィルム剥離具が提供されている。該ラップフィルム剥離具１００は、鋏形をなし、刃に相当する部分の開閉杆１０１、１０２の夫々に対向状態に円板状の挟持部１０３、１０４を設けてなるものである。そして、図１１に示す如く、パック食品１０５における容器１０６の開口部を密封するラップフィルム１０７のつまみ部１０７ａを挟持部１０３、１０４で挟み、上方に引っ張るものである。【０００５】  斯かる従来のラップフィルム剥離具１００によると、ラップフィルムのつまみ部をしっかりと挟持することができ、そして腕全体の力を利用して引っ張ることもできる。しかし、実際に使用してみると、該ラップフィルム剥離具１００も、単に引っ張るだけであるから、相当な力が必要であり、スムーズに剥がすことはできない。そこで更に効率のよいラップフィルム剥離具の出現が望まれていた。
【考案の開示】
【考案が解決しようとする課題】
【０００６】  本考案は上記の点に鑑みなされたものであって、ラップフィルムのつまみ部をしっかりと挟持し、そして梃子の原理を応用して力を加えることにより、強い力を要することなく、力の弱い人、或いは美容のために爪を伸ばしている人等であってもスムーズにラップフィルムを引き剥がすことができるようになしたラップフィルム剥離具を提供せんとするものである。
【課題を解決するための手段】
【０００７】  而して、本考案の要旨とするところは、ステンレス鋼等の適度の硬さと弾性を有する材料からなる所要の長さの帯状板を、一方側が長くなるように且つ対向間隙が先端側に行くに従って大きくなるようにＶ字形状に折り返し、長い方の部分を、その長さ方向の中央部から先端側に寄った適宜の位置において前方内向きに所要の角度に折曲すると共に、更に先端部を前方内向きに所要の角度に折曲し、一方、短い方の部分における先端部を、前記長い方の部分の折曲した先端部と共働して挟持部を形成するよう前方内向きに所要の角度に折曲してなるパック食品のラップフィルム剥離具にある。【０００８】  また、上記構成において、長い方の部分と短い方の部分のいずれかの内面に、側方に飛び出し可能にナイフを取り付けるようになしてもよい。パック食品は、ゼリーやヨーグルトのように、これを複数個一まとめにしてフィルムで包んでいるものが多く、またカップ入りラーメンの如く、全体をフィルムで包んだものもある。このフィルムは丈夫で且つ容器に密着しているため、指先で容易に破いて開くことはできない。而して、このようになした場合には、パック食品を包んでいるフィルムにナイフによって切れ目を入れて容易に開くことができるようになすことができるものである。
【考案の効果】
【０００９】  本考案は上記の如き構成であるから、ラップフィルムのつまみ部をしっかりと挟持し、そして梃子の原理を応用して力を加えることにより、強い力を要することなく、力の弱い人、或いは美容のために爪を伸ばしている人等であってもスムーズにラップフィルムを引き剥がすことができるものである。【００１０】  また、長い方の部分と短い方の部分のいずれかの内面に、側方に飛び出し可能にナイフを取り付けた場合には、パック食品を包んでいるフィルムに切れ目を入れて容易に開くことができるようになすことができるものである。
【考案を実施するための最良の形態】
【００１１】  本考案を実施するための最良の形態は、ステンレス鋼等の適度の硬さと弾性を有する材料からなる所要の長さの帯状板を、一方側が長くなるように且つ対向間隙が先端側に行くに従って大きくなるようにＶ字形状に折り返し、長い方の部分を、その長さ方向の中央部から先端側に寄った適宜の位置において前方内向きに所要の角度に折曲すると共に、更に先端部を前方内向きに所要の角度に折曲し、一方、短い方の部分における先端部を、前記長い方の部分の折曲した先端部と共働して挟持部を形成するよう前方内向きに所要の角度に折曲することにある。
【実施例１】
【００１２】  以下、本考案の実施例について説明する。
図１は本考案の実施例１の斜視図、図２は正面図、図３及び図４は使用方法の説明図、図５乃至図７は作用説明図である。【００１３】  図中、１はラップフィルム剥離具である。また、該ラップフィルム剥離具１は、ステンレス鋼等の適度の硬さと弾性を有する材料からなる所要の長さの帯状板２を、一方側３が長くなるように且つ対向間隙が先端側に行くに従って大きくなるようにＶ字形状に折り返し、長い方の部分３を、その長さ方向の中央部から先端側に寄った適宜の位置において前方内向きに所要の角度に折曲３ａすると共に、更に先端部３ｂを前方内向きに所要の角度に折曲し、一方、短い方の部分４における先端部４ａを、前記長い方の部分３の折曲した先端部３ｂと共働して挟持部を形成するよう前方内向きに所要の角度に折曲してなるものである。【００１４】  また、本実施例においては、帯状板２の幅を約２ｃｍ、全長Ｌを約１５ｃｍ、長い方の部分３の折曲角度α１を約１２０度、長い方の部分３と短い方の部分４の夫々の先端の折曲角度α２、α３を約１２０度としている。尚、これらのサイズは一つの例であって、サイズの異なるものを複数種類製作して用意し、大きさの異なるパック食品の夫々に適したものを使用するようにすることが望ましい。【００１５】  また、ラップフィルムのつまみ部を滑ることなく確実に挟持するために、長い方の部分３と短い方の部分４の夫々の先端の合わせ目は、面積が最大となるように切断している。また、長い方の部分３と短い方の部分４の外表面は、滑ることなくしっかりと保持することができるように、例えば合金のメッキを施したり、ゴムの皮膜で覆うようにすることが望ましい。【００１６】  次に、上記実施例の使用方法と作用について説明する。
先ず、手の中に把持して長い方の部分３と短い方の部分４を内向きに押し、それらの先端３ｂ、４ａ間にラップフィルム１０７のつまみ部１０７ａを挟持する。このとき、ラップフィルム１０７のつまみ部１０７ａをいくらかでも上側に持ち上げておくと挟みやすくなる。この状態において、次に図３に示す如く、ラップフィルム剥離具１を反転させ、即ち長い方の部分３が下になるように基部側を反対側に回して倒す。そして更に回して倒すと、図４に示す如くラップフィルム１０７がつまみ部１０７ａ側から徐々に引き剥がされるものである。【００１７】  図５は前記図３に示す状態の断面図であり、このときラップフィルム剥離具１の長い方の部分３における先端側の折曲部３ａが、ラップフィルム１０７の上面に接触する。ラップフィルム剥離具１を更に回して倒すと、図６に示す如く、その長い方の部分３における先端側の折曲部３ａの角部３Ａが支点となって回る。このとき、角部３Ａを中心とする基部側の長さと、先端側の長さとは、基部側の長さが先端側の長さより長くなっており、本実施例では３倍以上となっていることから、梃子の原理によりラップフィルム１０７のつまみ部１０７ａに対して、弱い力でも相当強力な引っ張り力が加えられることになる。したがって、ランプフィルム１０７が相当に強く接着されていたとしても、力の弱い人でも容易に引き剥がすことができるものである。そして更にラップフィルム剥離具１を回し、それの長い方の部分３の基部側の途中部が容器１０６の開口縁に接触すると、今度はこの接触部分が支点となって回り、図６と同様の原理によって、図７に示す如く最後までラップフィルム１０７を容易に且つスムーズに引き剥がすことができるものである。【００１８】  次に、図８及び図９に示した本考案の実施例２について説明する。
本実施例と前記実施例１とは、本実施例において、長い方の部分３と短い方の部分４のいずれかの内面に、側方に飛び出し可能にナイフを取り付けた点において相違するものである。尚、その他の構成並びに作用については、前記実施例１と同様であるから、同一の部材には同一の符号を付して詳細な説明は省略する。【００１９】  図８及び図９において５はナイフであり、該ナイフ５は、本実施例では短い方の部分４の内面に、側方に飛び出すことができるように回動自在に軸着６している。また、該ナイフ５は不意に飛び出さないようにロック手段を設けており、該ロック手段として、本実施例では、該ナイフ５の上面に円錐状の窪み５ａを設ける一方、ラップフィルム剥離具１の短い方の部分４の内面に帯状弾性板７を起立させ、その上部をナイフ５の回動方向に直角に折曲し且つ該折曲した部分７ａの下面に、前記ナイフ５の上面に設けた窪み５ａに嵌まり込む円錐状の突起８を設けている。また、ナイフ５には、不使用時の安全を期すために、刃先にキャップ９を被せるようにすることが望ましい。尚、１０はナイフ５の上面に設けた断面Ｖ字形の溝であり、ナイフ５を側方に飛び出させるときに指先を掛けやすくするためのものである。【００２０】  而して、本実施例の場合には、ナイフ５を側方に飛び出させてパック食品を包んでいるフィルムに切れ目を入れることができるものであり、これによりフィルムを容易に開くことができるものである。また、ナイフ５は、これを側方に飛び出させようとして回動するときには、帯状弾性板７の折曲部分７ａが上方に押圧変形して、円錐状の突起８がナイフ５の上面に設けた円錐状の凹部５ａから出てナイフ５の上面に乗り上るものである。これによってロックが解除されるものである。そしてまた、ナイフ５を再び戻すときには、前記と逆の手順によってロックされるものである。
【図面の簡単な説明】
【００２１】
【図１】本考案の実施例１の斜視図である。
【図２】本考案の実施例１の正面図である。
【図３】本考案の実施例１の使用方法の説明図である。
【図４】本考案の実施例１の使用方法の説明図である。
【図５】本考案の実施例１の作用説明図である。
【図６】本考案の実施例１の作用説明図である。
【図７】本考案の実施例１の作用説明図である。
【図８】本考案の実施例２の斜視図である。
【図９】本考案の実施例２のナイフ及びそのロック手段部分の断面図である。
【図１０】従来品の斜視図である。
【図１１】従来品の作用説明図である。
【符号の説明】
【００２２】  １  ラップフィルム剥離具
２  帯状板
３  長い方の部分
３ａ  長い方の部分の折曲部
３ａ  長いほうの部分の先端部
４  短い方の部分
４ａ  短い方の部分の先端部
５  ナイフ
【図１】
0003117627.tif 000003
【図２】
0003117627.tif 000004
【図３】
0003117627.tif 000005
【図４】
0003117627.tif 000006
【図５】
0003117627.tif 000007
【図６】
0003117627.tif 000008
【図７】
0003117627.tif 000009
【図８】
0003117627.tif 000010
【図９】
0003117627.tif 000011
【図１０】
0003117627.tif 000012
【図１１】
0003117627.tif 000013